(57)【特許請求の範囲】
【請求項１】
第１の筐体と第２の筐体とがヒンジ部で互いに折り畳み可能な折り畳み構造を持つ無線携帯端末装置であって、
前記折り畳み構造が閉じた状態であるときでも使用者が見ることができる位置に設けられた第１の表示部と、
前記折り畳み構造が開いた状態であるときのみ前記使用者が見ることができる位置に設けられた第２の表示部と、
前記折り畳み構造が閉じた状態であるときにのみ、データ受信に応答して、その受信データが予め指定された指定情報である場合に、前記受信データを前記第１の表示部に表示させ、前記折り畳み構造が開いた状態であるとき、自装置が前記受信データを受信したことを示す内容を前記第２の表示部に表示せしめる制御手段とを含み、
前記制御手段は、前記受信データの第１の所定領域のデータを基に、前記受信データが前記指定情報であるか否かを判定して前記第１の表示部の表示を制御するようにしたことを特徴とする無線携帯端末装置。
【請求項２】
前記制御手段は、前記使用者によって予め入力された前記指定情報を保持する保持手段と、前記第１の所定領域のデータと前記保持手段が保持する前記指定情報とを比較する比較手段とを有し、その比較結果に応じて前記第１の表示部の表示を制御するようにしたことを特徴とする請求項１記載の無線携帯端末装置。
【請求項３】
前記制御手段は、前記第１の所定領域のデータと前記指定情報とが一致するとき、前記受信データの第２の所定領域のデータを前記第１の表示部に表示せしめることを特徴とする請求項２記載の無線携帯端末装置。
【請求項４】
前記受信データは電子メールであり、
前記第１の所定領域のデータは、前記電子メールの件名を示す文字列と前記電子メールの送信元を示す文字列であり、
前記保持手段は、前記指定情報を構成し前記件名を示す文字列と比較される第１の文字列を格納する件名エリアと、前記第１の文字列と共に前記指定情報を構成し前記送信元を示す文字列と比較される第２の文字列を格納する送信元エリアとを組として有することを特徴とする請求項３記載の無線携帯端末装置。
【請求項５】
前記制御手段は、前記件名エリアと前記送信元エリアの組に前記第１の文字列のみ格納されている場合、前記件名を示す文字列と前記第１の文字列とが一致するとき、前記第２の所定領域のデータを前記第１の表示部に表示せしめることを特徴とする請求項４記載の無線携帯端末装置。
【請求項６】
前記制御手段は、前記件名エリアと前記送信元エリアの組に前記第２の文字列のみ格納されている場合、前記送信元を示す文字列と前記第２の文字列とが一致するとき、前記第２の所定領域のデータを前記第１の表示部に表示せしめることを特徴とする請求項４又は５記載の無線携帯端末装置。
【請求項７】
前記保持手段は、前記件名エリアと前記送信元エリアの組を複数組有し、
前記比較手段は、前記件名エリアと前記送信元エリアの組に格納されている前記指定情報を前記第１の所定領域のデータと順次比較していき、前記制御手段は、前記複数組の内のある一組に格納されている前記指定情報が前記第１の所定領域のデータと一致するとき、前記第２の所定領域のデータを前記第１の表示部に表示せしめることを特徴とする請求項４〜６いずれか記載の無線携帯端末装置。
【請求項８】
前記制御手段は、前記複数組にそれぞれ格納されている前記指定情報と前記第１の所定領域のデータとが不一致であるとき、自装置が前記電子メールを受信したことを示す内容を前記第１の表示部に表示せしめることを特徴とする請求項７記載の無線携帯端末装置。
【請求項９】
前記第２の所定領域のデータは、少なくとも前記電子メールの本文を含むデータであることを特徴とする請求項４〜８いずれか記載の無線携帯端末装置。
【請求項１０】
前記受信データはＨＴＭＬファイルであり、
前記第１の所定領域のデータは、前記ＨＴＭＬファイルのＴＩＴＬＥタグと／ＴＩＴＬＥタグとに囲まれたタイトル文字列であることを特徴とする請求項３記載の無線携帯端末装置。
【請求項１１】
前記保持手段は、前記指定情報を複数有し、
前記比較手段は、前記指定情報を前記タイトル文字列と順次比較していき、前記制御手段は、前記複数の指定情報の内のある前記指定情報が前記タイトル文字列と一致するとき、前記第２の所定領域のデータを前記第１の表示部に表示せしめることを特徴とする請求項１０記載の無線携帯端末装置。
【請求項１２】
前記制御手段は、前記複数の指定情報の各々と前記タイトル文字列とが不一致であるとき、自装置が前記ＨＴＭＬファイルを受信したことを示す内容を前記第１の表示部に表示せしめることを特徴とする請求項１１記載の無線携帯端末装置。
【請求項１３】
前記制御手段は、一定時間間隔毎に信号を出力するタイマ手段を更に有し、前記信号に応答して、自装置が情報配信サービスの提供を受ける所定の情報配信サーバに無線回線を介して接続し、前記情報配信サーバ上に蓄積された前記ＨＴＭＬファイルを取得するようにしたことを特徴とする請求項１０〜１２いずれか記載の無線携帯端末装置。
【請求項１４】
前記第２の所定領域のデータは、少なくとも前記ＨＴＭＬファイルのＢＯＤＹタグと／ＢＯＤＹタグとに囲まれた文字列を含むデータであることを特徴とする請求項１０〜１３いずれか記載の無線携帯端末装置。
【発明の詳細な説明】
【０００１】
【発明の属する技術分野】
本発明は無線携帯端末装置に関し、特に第１の筐体と第２の筐体とがヒンジ部で互いに折り畳み可能な折り畳み構造を持つ無線携帯端末装置に関する。
【０００２】
【従来の技術】
近年、携帯電話端末や無線携帯端末においては、メール送受信機能、ブラウザ（Ｂｒｏｗｓｅｒ）機能が搭載されており、これらの機能を有効に活用するため、表示デバイスとしてカラー大画面のものを搭載する端末が急激に増加してきている。大画面の表示デバイスを実装するための端末形状としては、折り畳み形状が主流となっている。
【０００３】
図１は折り畳み構造を持つ無線携帯端末装置の外観図であり、（ａ）は折り畳み構造が開いた状態を示す外観図であり、（ｂ）は折り畳み構造が閉じた状態を示す外観図である。図１（ａ）において、折り畳み式の無線携帯端末装置は、第１の筐体である本体部１と第２の筐体である蓋部２とがヒンジ部３で互いに折り畳み可能な折り畳み構造を持ち、ヒンジ部３を軸として、図１（ａ）に示す矢印方向に端末装置を折り畳んだり開いたりすることが可能である。４は無線電波の送受信を行うアンテナである。本体部１にはユーザ（使用者）が操作するための入力手段である操作部５が設けられている。蓋部２には端末装置の主たる表示手段となる第１の表示部６が搭載されている。
【０００４】
折り畳み式の無線携帯端末装置では、端末装置を折り畳んだ状態にすると、表示部６は本体部１と向き合って端末装置の内側に位置するため、ユーザは表示部６の表示画面に表示された内容を確認することができない。そこで、端末装置を折り畳んだ状態でも、ユーザが必要最低限の情報を確認することができるように、折り畳まれた端末装置の外側の面に第２の表示部を搭載する端末装置も存在している。
【０００５】
すなわち、図１（ｂ）において、折り畳み式の無線携帯端末装置は、蓋部２の第１の表示部６が設けられている面と反対側の面に補助的な表示手段として第２の表示部７が設けられている。第２の表示部７は、折り畳み構造が閉じた状態であるときに、ユーザが必要最低限の情報を確認できる程度の表示能力しか有さない。また、折り畳み構造が開いた状態では、ユーザから第２の表示部７の表示内容が確認しにくいことや電池寿命を少しでも延ばすためという理由から、第２の表示部７の表示をオフとすることが一般的である。
【０００６】
第２の表示部７に表示する必要最低限の情報としては、従来、端末装置の電池残量や圏内／圏外表示、更にはメールの着信があったことを示す「新着メール有り」といったメール着信表示、端末装置が携帯電話端末装置である場合には音声着信があったことを示す「着信有り」といった音声着信表示等がある。
【０００７】
【発明が解決しようとする課題】
しかしながら、折り畳み構造を持つ無線携帯端末装置がメールを受信したときに、上述の「新着メール有り」を第２の表示部７に表示するのみでは、ユーザには受信したメールの内容がわからないため、ユーザは、新規受信したメールの内容を確認するために端末装置を開く操作，受信メールを選択して第１の表示部６に表示する操作を行う必要があり、煩雑である。また、そのような操作を行って閲覧したメールの内容が、ユーザが即時に確認したかった内容ではなかったということが起こる可能性もある。
【０００８】
本発明の目的は、上述の問題を解決すべく、端末装置を閉じた状態で特別の操作を行うことなく、ユーザが閲覧を希望する受信データの内容を確認することができる無線携帯端末装置を提供することである。
【０００９】
【課題を解決するための手段】
本発明による無線携帯端末装置は、第１の筐体と第２の筐体とがヒンジ部で互いに折り畳み可能な折り畳み構造を持つ無線携帯端末装置であって、前記折り畳み構造が閉じた状態であるときでも使用者が見ることができる位置に設けられた第１の表示部と、前記折り畳み構造が開いた状態であるときのみ前記使用者が見ることができる位置に設けられた第２の表示部と、前記折り畳み構造が閉じた状態であるときにのみ、データ受信に応答して、その受信データが予め指定された指定情報である場合に、前記受信データを前記第１の表示部に表示させ、前記折り畳み構造が開いた状態であるとき、自装置が前記受信データを受信したことを示す内容を前記第２の表示部に表示せしめる制御手段とを含み、前記制御手段は、前記受信データの第１の所定領域のデータを基に、前記受信データが前記指定情報であるか否かを判定して前記第１の表示部の表示を制御するようにしたことを特徴とする。
【００１１】
また、前記無線携帯端末装置において、前記制御手段は、前記使用者によって予め入力された前記指定情報を保持する保持手段と、前記第１の所定領域のデータと前記保持手段が保持する前記指定情報とを比較する比較手段とを有し、その比較結果に応じて前記第１の表示部の表示を制御するようにしたことを特徴とする。
【００１２】
さらに、前記無線携帯端末装置において、前記制御手段は、前記第１の所定領域のデータと前記指定情報とが一致するとき、前記受信データの第２の所定領域のデータを前記第１の表示部に表示せしめることを特徴とする。
【００２１】
本発明の作用は次の通りである。本発明による折り畳み構造を持つ無線携帯端末装置が受信した受信データが、使用者が確認することを望む情報（指定情報）であれば、折り畳み構造が閉じた状態であるときでも使用者が見ることができる位置に設けられた表示部にその受信データを表示する。具体的には、制御手段の比較手段が、保持手段が保持する使用者によって予め入力された指定情報を受信データの第１の所定領域のデータと比較することにより、その受信データが、使用者が確認することを望む情報であるか否かを判定することができる。そして、比較手段の比較結果が一致を示すとき、その受信データは使用者が確認することを望む情報であるから、受信データの第２の所定領域のデータを表示部に表示する。
【００２２】
このように、端末装置がデータを受信する度に、その受信データが使用者が確認することを望む情報であるか否かを判定し、使用者が見たい情報のみを選択的に表示部に表示するようにしたので、使用者は、折り畳み構造が閉じた状態から特別の操作をすることなく、自己が希望する情報を確認することができるのである。
【００２３】
【発明の実施の形態】
以下に、本発明の実施例について図面を用いて説明する。図２は本発明の第１の実施例による無線携帯端末装置の構成を示すブロック図である。なお、本発明の第１の実施例による無線携帯端末装置の外観は図１（ａ）及び（ｂ）に示されており、その説明は既になされているので省略する。
【００２４】
図２において、本発明の第１の実施例による折り畳み構造を持つ無線携帯端末装置は、アンテナ１０１と、無線部１０２と、制御部１０３と、第１のドライバ１０４と、第１の表示部１０５と、第２のドライバ１０６と、第２の表示部１０７と、メモリ１０８と、メール処理部１０９と、指定文字列記憶部１１０と、比較手段１１１と、開閉検出部１１２と、通知手段１１３と、操作部１１４とを有している。
【００２５】
アンテナ１０１は、無線電波の送受信を行うものであり、図１（ａ）及び（ｂ）に示したアンテナ４に相当する。無線部１０２は、送受信データの変復調を行うものであり、アンテナ１０１にて無線回線を介して受信したデータを増幅復調し、復調信号として制御部１０３に出力すると共に、制御部１０３からのデータを送信データとして変調し、アンテナ１０１に出力する。
【００２６】
制御部１０３は、メールを受信したとき（メール着信時）、無線部１０２により復調されたディジタル信号からメールデータを切り出し、メモリ１０８に格納する。取り出されたメールデータには、例えば、ＲＦＣ（Ｒｅｑｕｅｓｔ      ｆｏｒ  Ｃｏｍｍｅｎｔｓ）８２２にて定義されるようなメールヘッダとメール本文とが含まれている。
【００２７】
また、制御部１０３は、第１のドライバ１０４，第２のドライバ１０６を介して第１の表示部１０５，第２の表示部１０７の表示制御を行う。さらに、制御部１０３は、メール着信時には、通知手段１１３を制御して端末装置のユーザ（使用者）にメールを受信した旨を通知する。通知手段１１３は、バイブレータ、発光ダイオード（ＬＥＤ）あるいはスピーカである。
【００２８】
操作部１１４は、ユーザが端末装置の各種設定を行うための入力手段であり、操作部１１４を操作することで入力検出された信号は制御部１０３により処理される。なお、操作部１１４は、図１（ａ）に示した操作部５に相当する。
【００２９】
第１の表示部１０５は、端末装置の主たる表示手段であり、例えばカラー液晶ディスプレイである。なお、第１の表示部１０５は、図１（ａ）に示した第１の表示部６に相当し、折り畳み構造が閉じた状態では、第１の表示部１０５は第１の筐体（本体部１）と向き合って端末装置の内側に位置してしまうので、ユーザは第１の表示部１０５を見ることができない。
【００３０】
第２の表示部１０７は、端末装置の補助的な表示手段であり、例えば白黒液晶ディスプレイである。なお、第２の表示部１０７は、図１（ｂ）に示した第２の表示部７に相当し、第２の筐体（蓋部２）の第１の表示部１０５が設けられている面と反対側の面に設けられているので、折り畳み構造が閉じた状態でも、ユーザは第２の表示部１０７を見ることができる。
【００３１】
また、第２の表示部１０７は、制御部１０３及び開閉検出部１１２により、端末装置を閉じた状態でのみ表示がなされ、端末装置を開いた状態では、ユーザからその表示内容が確認しにくいことや電池寿命を延ばすためにその表示がオフとなるよう制御される。
【００３２】
メモリ１０８は、受信したメールを格納するための記憶手段である。メール処理部１０９は、制御部１０３によって切り出された新規受信メールデータのヘッダ情報を解析し、メールヘッダ情報に格納されている受信メールのタイトル（件名）を示す文字列及び受信メールの送信元（メールアドレス）を示す文字列を切り出す。なお、受信メールのタイトルを示す文字列及び受信メールの送信元を示す文字列は、受信メールの第１の所定領域のデータである。
【００３３】
指定文字列記憶部１１０は、ユーザが操作部１１４を操作することで予め入力される受信メールのタイトルの文字列に相当する文字列（第１の文字列）及び受信メールの送信元の文字列に相当する文字列（第２の文字列）を格納する手段（保持手段）である。すなわち、第１の文字列及び第２の文字列は、受信メールがユーザが確認することを望む情報であるか否かを判定するために用いられるものである。
【００３４】
比較手段１１１は、メール処理部１０９によって取り出された受信メールのタイトルの文字列と指定文字列記憶部１１０に格納されている第１の文字列とを比較し、その比較結果（一致又は不一致）を制御部１０３へ出力する。また、比較手段１１１は、メール処理部１０９によって取り出された受信メールの送信元の文字列と指定文字列記憶部１１０に格納されている第２の文字列とを比較し、その比較結果（一致又は不一致）を制御部１０３へ出力する。
【００３５】
開閉検出部１１２は、折り畳み構造が閉じた状態であるか，折り畳み構造が開いた状態であるかを検出し、制御部１０３にその検出結果を出力する。
【００３６】
図３は図２に示した指定文字列記憶部１１０の格納形態の一例を示す図である。図３において、指定文字列記憶部１１０は、タイトル指定エリアと送信元指定エリアとを組として、それをＮ組（Ｎは正の整数）有している。タイトル指定エリアに格納されるデータは、ユーザが操作部１１４を操作することで予め入力される第１の文字列である。また、送信元指定エリアに格納されるデータは、ユーザが操作部１１４を操作することで予め入力される第２の文字列である。
【００３７】
指定文字列記憶部１１０には、タイトル指定エリア及び送信元指定エリアを１組としてＮ組まで格納可能である。また、ある組において、第２の表示部１０７に受信メールの内容を表示する条件として受信メールのタイトルの文字列のみを比較対象としたい場合には、タイトル指定エリアにのみ第１の文字列を格納し、送信元指定エリアには文字列無しを示すデータが格納される。この例が、図３のタイトル指定エリア２及び送信元指定エリア２の組に示されている。
【００３８】
同様に、ある組において、受信メールの送信元の文字列のみを比較対象としたい場合には、送信元指定エリアにのみ第２の文字列を格納し、タイトル指定エリアには文字列無しを示すデータが格納される。端末装置がメールを受信した場合に、その受信メールの内容を第２の表示部１０７に表示させたいとユーザが考えるメールのタイトルの文字列に相当する文字列及びメールの送信元の文字列に相当する文字列が、ユーザの操作によって操作部１１４を介して端末装置に入力され、制御部１０３により処理されて指定文字列記憶部１１０に格納される。
【００３９】
次に、本発明の第１の実施例による無線携帯端末装置の動作について図面を用いて説明する。図４は図２に示した無線携帯端末装置がメールを受信した場合の動作を示すフローチャートである。
【００４０】
図４において、本発明の第１の実施例による無線携帯端末装置がメールを受信すると（ステップＳ４０１）、制御部１０３はメールデータを切り出し、メモリ１０８に新規受信メールを格納する（ステップＳ４０２）。その後、制御部１０３は、開閉検出部１１２からの検出結果を基に、端末装置が閉じた状態であるか，端末装置が開いた状態であるかを判定する（ステップＳ４０３）。
【００４１】
端末装置が閉じた状態である場合（ステップＳ４０３，Ｙｅｓ）、メール処理部１０９は制御部１０３から受け取った受信メールのヘッダ情報を解析し、受信メールのタイトルと受信メールの送信元アドレスとを切り出し、制御部１０３にそれら文字列データを出力する（ステップＳ４０４）。制御部１０３は、繰り返し処理をカウントするパラメータｎを１に初期化した後（ステップＳ４０５）、指定文字列記憶部１１０のタイトル指定エリア１または送信元指定エリア１に文字列が格納されているか否かを確認する（ステップＳ４０６）。
【００４２】
タイトル指定エリア１または送信元指定エリア１に文字列が格納されている場合（ステップＳ４０６，Ｙｅｓ）、タイトル指定エリア１に文字列が格納されているか否かを確認する（ステップＳ４０７）。タイトル指定エリア１に文字列が格納されている場合には（ステップＳ４０７，Ｙｅｓ）、この文字列と受信メールのタイトルの文字列とを比較する（ステップＳ４０８）。タイトル指定エリア１の第１の文字列と受信メールのタイトルの文字列とが一致した場合（ステップＳ４０８，Ｙｅｓ）、送信元指定エリア１に文字列が格納されているか否かを確認する（ステップＳ４０９）。
【００４３】
送信元指定エリア１に文字列が格納されている場合には（ステップＳ４０９，Ｙｅｓ）、受信メールの送信元の文字列と送信元指定エリア１の第２の文字列とを比較する（ステップＳ４１０）。受信メールの送信元の文字列と送信元指定エリア１の第２の文字列とが一致した場合には（ステップＳ４１０，Ｙｅｓ）、タイトル，送信元アドレスの双方が一致したと判断し、第２の表示部１０７に受信メールの内容を表示すると共に、通知手段１１３にてメール着信通知動作を行う（ステップＳ４１１）。
【００４４】
ここで、第２の表示部１０７に表示させる受信メールの内容は、受信メールの第２の所定領域のデータである。この受信メールの第２の所定領域のデータは、例えば、少なくとも受信メールのメール本文を含むデータであるが、その他に受信メールのタイトルの文字列，受信メールの送信元の文字列，受信メールの受信時刻等をさらに含むデータであってもよい。
【００４５】
ステップＳ４１１において、第２の表示部１０７の表示能力が文字数的に小さい場合には、受信メールの内容を表示する方法として、制御部１０３の制御によって自動的に横スクロール表示あるいはオートページスクロール表示をなすようにしてもよい。
【００４６】
ステップＳ４０７において、タイトル指定エリア１に第１の文字列が格納されていない場合には（ステップＳ４０７，Ｎｏ）、ステップＳ４１０に処理を進める。ステップＳ４１０において、受信メールの送信元の文字列と送信元指定エリア１の第２の文字列とが一致した場合には（ステップＳ４１０，Ｙｅｓ）、同様に、第２の表示部１０７に受信メールの内容を表示すると共に、通知手段１１３にてメール着信通知動作を行う（ステップＳ４１１）。
【００４７】
また、ステップＳ４０８において、タイトル指定エリア１の第１の文字列と受信メールのタイトルの文字列とが一致し（ステップＳ４０８，Ｙｅｓ）、ステップＳ４０９において、送信元指定エリア１にデータが格納されていない場合にも（ステップＳ４０９，Ｎｏ）、ステップＳ４１１に処理を進めることになる。
【００４８】
すなわち、本発明の第１の実施例による無線携帯端末装置では、タイトル指定エリアと送信元指定エリアの組に第１の文字列及び第２の文字列のいずれか一方のみが格納されている場合、その一方の文字列と受信メールの第１の所定領域のデータの内の上記一方の文字列と比較すべき文字列（上記一方の文字列が第１の文字列であれば受信メールのタイトルの文字列が上記比較すべき文字列であり、上記一方の文字列が第２の文字列であれば受信メールの送信元の文字列が上記比較すべき文字列である）とが一致すれば、第２の表示部１０７に受信メールの内容が表示されるようになっている。
【００４９】
ステップＳ４０６においてタイトル指定エリア１，送信元指定エリア１共に文字列が格納されていなかった場合（ステップＳ４０６，Ｎｏ）、または、ステップＳ４０８あるいはステップＳ４１０において比較結果が不一致であった場合には、ｎがｎ＝Ｎ（指定文字列記憶部１１０に格納可能な組数）を満たしているか否かを確認する（ステップＳ４１２）。ｎ＝Ｎを満たしていない場合（ステップＳ４１２，Ｎｏ）、ｎの値をｎ＝ｎ＋１に更新した後（ステップＳ４１３）、上述したステップＳ４０６〜ステップＳ４１０の処理に進む。すなわち、ステップＳ４０９において「Ｎｏ」となるか、または、ステップＳ４１０において「Ｙｅｓ」となるまで、指定文字列記憶部１１０のＮ組について、順次、上述したステップＳ４０６〜ステップＳ４１０の処理を行うようにしている。
【００５０】
ステップＳ４１２において、ｎ＝Ｎとなった場合（ステップＳ４１２，Ｙｅｓ）、受信メールのタイトルあるいは送信元が指定文字列記憶部１１０に格納されたデータと一致しなかったと判断し、第２の表示部１０７に受信メールの内容を表示しないで、メールを受信した旨を示す「新着メール有り」の表示を行うと共に、メール着信通知動作を行う（ステップＳ４１４）。
【００５１】
なお、ステップＳ４０３において、端末装置が開いた状態であるときには（ステップＳ４０３，Ｎｏ）、第１の表示部１０５に「新着メール有り」の表示を行い、通知手段１１３によってメール受信通知動作を行う（ステップＳ４１５）。このとき、第２の表示部１０７には表示を行わない。
【００５２】
このように、本発明の第１の実施例による無線携帯端末装置では、受信メールのタイトルの文字列，受信メールの送信元の文字列を、ユーザが予め入力しておいた第１の文字列，第２の文字列とそれぞれ比較して、それらが一致したときに、受信メールの内容を第２の表示部１０７に表示させるようにしている。これにより、端末装置を閉じた状態で特別の操作をすることなく、ユーザが見ることを希望する情報だけを効率的に確認することができるのである。
【００５３】
また、本発明の第１の実施例による無線携帯端末装置では、ユーザが見ることを希望する情報だけを選別して選択的に表示するようにしているので、受信した全てのメールについてその内容を表示する場合と比べて表示動作にかかる電力消費を抑えることができ、よって、電池寿命の短命化を最小限に抑えることが可能となる。
【００５４】
次に、本発明の第２の実施例による無線携帯端末装置について図面を用いて説明する。図５は本発明の第２の実施例による無線携帯端末装置の構成を示すブロック図であり、図２と同等部分は同一符号にて示している。なお、本発明の第２の実施例による無線携帯端末装置の外観は図１（ａ）及び（ｂ）に示されており、その説明は既になされているので省略する。
【００５５】
本発明の第１の実施例による無線携帯端末装置では、受信メールのタイトル及び受信メールの送信元アドレスを基に指定（選別）された受信メールを第２の表示部１０７に表示するようにしていた。これに対して、本発明の第２の実施例による無線携帯端末装置では、自装置が取得したＨＴＭＬ（Hypertext Markup Language)データのＴＩＴＬＥタグ，／ＴＩＴＬＥタグ（以下、これ等を総称してタイトルタグと呼ぶ）に囲まれた文字列（タイトル文字列）を基に、少なくともＨＴＭＬデータのＢＯＤＹタグ，／ＢＯＤＹタグ（以下、これ等を総称してボディタグと呼ぶ）に囲まれた文字列をＨＴＭＬデータの内容として第２の表示手段に表示する、あるいは、表示しないことを特徴とする。
【００５６】
図５において、本発明の第２の実施例による折り畳み構造を持つ無線携帯端末装置は、アンテナ１０１と、無線部１０２と、制御部５０３と、第１のドライバ１０４と、第１の表示部１０５と、第２のドライバ１０６と、第２の表示部１０７と、メモリ１０８と、ＨＴＭＬ情報解析部５０９と、指定文字列記憶部５１０と、比較手段５１１と、開閉検出部１１２と、通知手段１１３と、操作部１１４と、タイマ手段５１５とを有している。
【００５７】
ここで、制御部５０３は、情報取得プログラム５０３−１を有しており、この情報取得プログラム５０３−１により、無線回線を介してＨＴＭＬファイルをダウンロードして、これをメモリ１０８に格納する。また、制御部５０３は、第１のドライバ１０４，第２のドライバ１０６を介して第１の表示部１０５，第２の表示部１０７の表示制御を行う。さらに、制御部５０３は、ＨＴＭＬファイルを取得したとき、通知手段１１３を制御して端末装置のユーザにＨＴＭＬファイルの取得が完了したことを通知する。
【００５８】
情報取得プログラム５０３−１は、タイマ手段５１５からの通知があるたびに、予め本プログラムに設定されているＵＲＬ（Uniform Resource Locator) に基づいて、端末装置が情報配信サービスの提供を受ける所定の情報配信サーバに無線回線を介して接続し、情報配信サーバ上に蓄積されたＨＴＭＬファイルをダウンロードするためのプログラムである。
【００５９】
タイマ手段５１５は、制御部５０３の情報取得プログラム５０３−１により設定された時間間隔毎に制御部５０３に対してカウントアップの通知を行う。指定文字列記憶部５１０は、ユーザが操作部１１４を操作することで入力された文字列を格納するものである。
【００６０】
ＨＴＭＬ情報解析部５０９は、情報取得プログラム５０３−１により取得されたＨＴＭＬファイルからタイトル文字列を切り出す。比較手段５１１は、ＨＴＭＬ情報解析部５０９で切り出されたタイトル文字列と、指定文字列記憶部５１０に格納された文字列とを比較し、その比較結果（一致又は不一致）を制御部５０３に出力する。
【００６１】
なお、その他の構成要素（アンテナ１０１，無線部１０２，第１のドライバ１０４，第１の表示部１０５，第２のドライバ１０６，第２の表示部１０７，メモリ１０８，開閉検出部１１２，通知手段１１３，操作部１１４）は、図２に示したものと同様であるので、その説明を省略する。
【００６２】
図６は図５に示した指定文字列記憶部５１０の格納形態の一例を示す図である。図６において、タイトル指定エリアｎ（ｎは１〜Ｎ：Ｎは正の整数）の右に記載している文字列が格納されているデータである。タイトル指定エリアに格納されるデータは、ユーザが操作部１１４を操作することで予め入力される文字列であり、タイトル文字列に相当するものである。その文字列をＮ個まで指定文字列記憶部１１０に格納することができる。あるタイトル指定エリアにおいて、文字列が未格納の場合には、文字列無しを示す情報が格納される。
【００６３】
端末装置がＨＴＭＬファイルをダウンロードした場合に、そのＨＴＭＬファイルの内容を第２の表示部１０７に表示させたいとユーザが考えるＨＴＭＬファイルのタイトル文字列に相当する文字列が、ユーザの操作によって操作部１１４を介して端末装置に入力され、制御部５０３により処理されて指定文字列記憶部５１０に格納される。
【００６４】
次に、本発明の第２の実施例による無線携帯端末装置の動作について図面を用いて説明する。図７は図５に示した無線携帯端末装置の動作を示すフローチャートである。
【００６５】
図７において、タイマ手段５１５からカウントアップ通知が制御部５０３に通知されると（ステップＳ７０１）、情報取得プログラム５０３−１が起動される（ステップＳ７０２）。情報取得プログラム５０３−１に予め設定されているＵＲＬに基づいて情報配信サーバにアクセスし（ステップＳ７０３）、情報配信サーバ上に蓄積されたＨＴＭＬファイルをダウンロードし、メモリ１０８に格納する（ステップＳ７０４）。
【００６６】
制御部５０３は、開閉検出部１１２からの検出結果を基に、端末装置が閉じた状態であるか，端末装置が開いた状態であるかを判定する（ステップＳ７０５）。端末装置が閉じた状態である場合（ステップＳ７０５，Ｙｅｓ）、ＨＴＭＬ情報解析部５０９は、取得したＨＴＭＬファイルを解析し、タイトルタグに囲まれたタイトル文字列を切り出す（ステップＳ７０６）。
【００６７】
制御部５０３は、切り出されたタイトル文字列をＨＴＭＬ情報解析部５０９から受け取り、ダウンロードしたＨＴＭＬファイルのタイトル文字列を、指定文字列記憶部５１０のタイトル指定エリア１〜Ｎに格納されている各文字列と順次比較手段５１１で比較していく（ステップＳ７０７）。
【００６８】
タイトル文字列とあるタイトル指定エリアに格納されている文字列とが一致した場合（ステップＳ７０７，Ｙｅｓ）、少なくともＨＴＭＬファイルのボディタグに囲まれた文字列をＨＴＭＬファイルの内容として第２の表示部１０７に表示する（ステップＳ７０８）。なお、ステップＳ７０８において、ＨＴＭＬファイルのボディタグに囲まれた文字列に加えて、タイトル文字列も第２の表示部１０７に表示することとしてもよい。
【００６９】
そして、第２の表示部１０７への表示と同時に、ＨＴＭＬファイルをダウンロードしたことを示すダウンロード完了通知音が通知手段１１３によって鳴動される（ステップＳ７０９）。
【００７０】
ステップＳ７０５において、端末装置が開いた状態である場合には、第１の表示部１０５にＨＴＭＬファイルをダウンロードしたことを示す表示を行うと共に、通知手段１１３によってダウンロード完了通知音が鳴動される（ステップＳ７１１）。
【００７１】
ステップＳ７０７において、タイトル文字列と一致する文字列が指定文字列記憶部５１０に格納されていなかった場合には、端末装置が閉じた状態であるため、第２の表示部１０７にＨＴＭＬファイルをダウンロードしたことを示す表示を行うと共に、通知手段１１３がダウンロード完了通知音を鳴動する（ステップＳ７１０）。
【００７２】
このように、本発明の第２の実施例による無線携帯端末装置では、折り畳み構造が閉じた状態で、メールデータのみでなく、ＨＴＭＬファイルを自動的に取得したときにおいても、端末装置を開いて、取得したＨＴＭＬファイルを表示させるという特別の操作を行うことなく、ユーザが閲覧を希望する指定情報のみを第２の表示部１０７に表示することができる。
【００７３】
【発明の効果】
本発明による第１の効果は、端末装置を閉じた状態で特別の操作を行うことなく、ユーザが閲覧を希望する受信データの内容を確認することができることである。その理由は、折り畳み構造を持つ無線携帯端末装置が受信した受信データが、使用者が確認することを望む情報（指定情報）であれば、折り畳み構造が閉じた状態であるときでも使用者が見ることができる位置に設けられた表示部にその受信データを表示するようにしたためである。
【００７４】
本発明による第２の効果は、端末装置の電池寿命の短命化を最小限に抑えることができることである。その理由は、受信データが使用者が確認することを望む情報である場合に、表示部に表示するようにしたので、言い換えれば、端末装置がデータを受信する度に、その受信データを選別することで、使用者が希望する情報のみを表示部に表示するようにしたので、受信した全ての受信データを選別することなく表示部に表示する場合と比べて、表示動作にかかる電力消費を抑えることができるためである。
【図面の簡単な説明】
【図１】折り畳み構造を持つ無線携帯端末装置の外観図であり、（ａ）は折り畳み構造が開いた状態を示す外観図であり、（ｂ）は折り畳み構造が閉じた状態を示す外観図である。
【図２】本発明の第１の実施例の無線携帯端末装置の構成を示すブロック図である。
【図３】図２の指定文字列記憶部１１０の格納形態の一例を示す図である。
【図４】図２の無線携帯端末装置がメールを受信した場合の動作を示すフローチャートである。
【図５】本発明の第２の実施例の無線携帯端末装置の構成を示すブロック図である。
【図６】図５の指定文字列記憶部５１０の格納形態の一例を示す図である。
【図７】図５の無線携帯端末装置の動作を示すフローチャートである。
【符号の説明】
１    本体部
２    蓋部
３    ヒンジ部
４，１０１    アンテナ
５，１１４    操作部
６，１０５    第１の表示部
７，１０７    第２の表示部
１０２    無線部
１０３，５０３    制御部
１０４    第１のドライバ
１０６    第２のドライバ
１０８    メモリ
１０９    メール処理部
１１０，５１０    指定文字列記憶部
１１１，５１１    比較手段
１１２    開閉検出部
１１３    通知手段
５０３−１    情報取得プログラム
５０９    ＨＴＭＬ情報解析部
５１５    タイマ手段
【図１】
0004496669.tif 000002
【図２】
0004496669.tif 000003
【図３】
0004496669.tif 000004
【図４】
0004496669.tif 000005
【図５】
0004496669.tif 000006
【図６】
0004496669.tif 000007
【図７】
0004496669.tif 000008